(57)【要約】【課題】  構築が容易であり、しかも新築の建物だけでなく、既に建っている建物にも実施できる建物の冷却構造を得る。【解決手段】  建物の屋外スラブ１上に設けられた建物の冷却構造であって、スラブ１上に支柱３を介して多孔質保水材４を布設し、前記スラブ１と多孔質保水材４との間に雨水等を貯留する貯水トレイ８を配置して、該貯水トレイ８の開口縁部を多孔質保水材４と支柱３とで挟持して固定し、更に、前記多孔質保水材４と貯水トレイ８の間には、貯水トレイ８内の水を吸い上げて多孔質保水材４に供給する吸水部材１１を備えた。【選択図】    図２
2006161410.tif 000002
【特許請求の範囲】
【請求項１】
建物の屋外スラブ上に設けられた建物の冷却構造であって、スラブ上に支柱を介して多孔質保水材が布設され、前記スラブと多孔質保水材との間には雨水等を貯留する貯水トレイが配置されて、該貯水トレイの開口縁部が多孔質保水材と支柱とで挟持されて固定され、更に、前記多孔質保水材と貯水トレイの間には、貯水トレイ内の水を吸い上げて多孔質保水材に供給する吸水部材が備えられていることを特徴とする建物の冷却構造。
【請求項２】
前記スラブ上には防水層が設けられ、前記貯水トレイには貯水容量超えた雨水等をオーバーフローするオーバーフロー穴が設けられ、建物の壁体或いはスラブには、貯水トレイのオーバーフロー穴から前記防水層上に流出した雨水等を建物の外部に排出するドレインが設けられていることを特徴とする請求項１に記載の建物の冷却構造。
【請求項３】
前記スラブが建物の屋上及びバルコニーを構成し、該スラブ上に設けられた個々の冷却構造が上下方向に排水パイプで接続され、階上の冷却構造でオーバーフローした水が排水パイプを通って階下の冷却構造の多孔質保水材上に流出するようになっていることを特徴とする請求項２に記載の建物の冷却構造。
【発明の詳細な説明】
【技術分野】
【０００１】
本発明は、建物の屋上、ルーフバルコニー、通常のバルコニー等を構成する屋外スラブ上に設けられた建物の冷却構造に関する。
【背景技術】
【０００２】
オフィスビル、マンション等のコンクリート製建物は、日射により建物全体に蓄熱され、室内空間の高温化だけでなく、建物外にも影響を及ぼし、街全体の温度上昇、所謂ヒートアイランドの原因の１つになっている。
【０００３】
このため、建物をいかにして冷却するか、といったことが研究されており、その１つとして、建物に雨水や散水による水を貯留し、貯留した水の蒸発による気化熱を利用して建物を冷却するといったことが提案されている。このような水の蒸発による気化熱を利用して建物を冷却する手段として、例えば、建物の屋外スラブの上面に複数のリブを格子状に配設して複数の貯水用凹陥部を形成し、これらの貯水用凹陥部に保水性ブロックを備え、雨水や散水による水を貯水用凹陥部に貯留し、日射により前記貯留した水が保水性ブロックから蒸発したときの気化熱により、保水性ブロックを冷却し、この保水性ブロックからの熱伝導により建物全体を冷却しようとする建物の冷却構造が開示されている（例えば、特許文献１参照。）。
【特許文献１】特開２００２−１８０５６２号公報
【発明の開示】
【発明が解決しようとする課題】
【０００４】
しかしながら、上記の引用文献１に開示されている建物の冷却構造によれば、建物の屋外スラブの上面に複数のリブを格子状に配設して複数の貯水用凹陥部を形成するので、スラブの上面への貯水用凹陥部の形成が非常に面倒な作業となり、また、前記冷却構造は新築の建物には実施可能であるが、既に建っている建物への実施は困難であるといた問題がある。
【０００５】
本発明の目的は、構築が容易であり、しかも新築の建物だけでなく、既に建っている建物にも実施できる建物の冷却構造を提供することにある。
【課題を解決するための手段】
【０００６】
上記目的を達成するために、請求項１に記載の建物の冷却構造は、建物の屋外スラブ上に設けられた建物の冷却構造であって、スラブ上に支柱を介して多孔質保水材が布設され、前記スラブと多孔質保水材との間には雨水等を貯留する貯水トレイが配置されて、該貯水トレイの開口縁部が多孔質保水材と支柱とで挟持されて固定され、更に、前記多孔質保水材と貯水トレイの間には、貯水トレイ内の水を吸い上げて多孔質保水材に供給する吸水部材が備えられていることを特徴とする。
【０００７】
請求項２に記載の建物の冷却構造は、請求項１に記載の、前記スラブ上には防水層が設けられ、前記貯水トレイには貯水容量超えた雨水等をオーバーフローするオーバーフロー穴が設けられ、建物の壁体或いはスラブには、貯水トレイのオーバーフロー穴から前記防水層上に流出した雨水等を建物の外部に排出するドレインが設けられていることを特徴とする。
【０００８】
請求項３に記載の建物の冷却構造は、請求項２に記載の、前記スラブが建物の屋上及びバルコニーを構成し、該スラブ上に設けられた個々の冷却構造が上下方向に排水パイプで接続され、階上の冷却構造でオーバーフローした水が排水パイプを通って階下の冷却構造の多孔質保水材上に流出するようになっていることを特徴とする。
【発明の効果】
【０００９】
請求項１に記載の建物の冷却構造によれば、建物の屋外スラブ上に設けられた建物の冷却構造であって、スラブ上に支柱を介して多孔質保水材が布設され、前記スラブと多孔質保水材との間には雨水等を貯留する貯水トレイが配置されて、該貯水トレイの開口縁部が多孔質保水材と支柱とで挟持されて固定され、更に、前記多孔質保水材と貯水トレイの間には、貯水トレイ内の水を吸い上げて多孔質保水材に供給する吸水部材が備えられているので、スラブ上に支柱を介して布設された多孔質保水材上に降水或いは散水があると、水は多孔質保水材に保水され、そして、多孔質保水材を通して多孔質保水材の下方に配置されている貯水トレイに貯留される。そして、多孔質保水材が日射を受けると、多孔質保水材に保水されている水が蒸発し、更に、吸水部材で貯水トレイに貯留されている水が吸い上げられ多孔質保水材に供給されて蒸発し、この蒸発したときの気化熱により多孔質保水材が冷却されることになり、この多孔質保水材からの熱伝導により建物全体を冷却することができる。また、前記のように構成される建物の冷却構造は、その構成が簡単なので、建物への実施が容易であり、また、既に建っている建物へも容易に実施することができる。
【００１０】
更に、雨水の流水抑止効果も期待でき、都市洪水の防止をも図ることができる。
【００１１】
請求項２に記載の建物の冷却構造によれば、前記スラブ上には防水層が設けられ、前記貯水トレイには貯水容量超えた雨水等をオーバーフローするオーバーフロー穴が設けられ、建物の壁体或いはスラブには、貯水トレイのオーバーフロー穴から前記防水層上に流出した雨水等を建物の外部に排出するドレインが設けられているので、降水或いは散水による水量が前記貯水トレイの貯水容量超えた場合、この水が貯水トレイのオーバーフロー穴から前記スラブに設けた防水層上に流出し、この防水層上に流出した水をドレインから建物の外部に排出することができる。
【００１２】
請求項３に記載の建物の冷却構造によれば、前記スラブが建物の屋上及びバルコニーを構成し、該スラブ上に設けられた個々の冷却構造が上下方向に排水パイプで接続され、階上の冷却構造でオーバーフローした水が排水パイプを通って階下の冷却構造の多孔質保水材上に流出するようになっているので、階下の冷却構造の貯水トレイに、効率よく且つ満遍なく貯水することができる。
【発明を実施するための最良の形態】
【００１３】
以下、本発明に係る建物の冷却構造を実施するための最良の形態例を、図面を参照して詳細に説明する。
【００１４】
図１乃至図２は本発明に係る建物の冷却構造を実施した第１例を示したもので、図１は冷却構造の縦断面図、図２は図１の一部拡大縦断面図である。本例は、本発明に係る建物の冷却構造を建物の屋上に実施した例であり、建物の屋上スラブ１上に冷却構造２が設けられている。この冷却構造２は、屋上スラブ１上に支柱３を介して多孔質保水材４が布設されている。
【００１５】
本例では、前記屋上スラブ１上に防水層５が設けられており、前記支柱３は防水層５の上に立設されている。この支柱３は高さ調節可能となっており、その上面が多孔質保水材４を支持する支持面６となっている。この支持面６には前記多孔質保水材４を位置決めして支持する位置決め突起７が突設されている。
【００１６】
前記多孔質保水材４は、自然石やセラミックが使用され四角形をした板状に形成されている。本例では、前記四角形の板状に形成された多孔質保水材４の四隅が、前記支柱３の支持面６に支持され、且つ位置決め突起７で位置決めされて、前記屋上スラブ１上に布設されている。
【００１７】
更に、前記屋上スラブ１と支柱３に支持されている多孔質保水材４との間には雨水等を貯留する貯水トレイ８が配置されている。この貯水トレイ８は開口部周囲に鍔部９を有しており、該鍔部９が多孔質保水材４の裏面と支柱３の支持面６とで挟持されて固定されている。また、前記貯水トレイ８の開口部近傍には、多孔質保水材４を通して貯水トレイ８内に流れ込んだ水が、貯水トレイ８の貯水容量を超えた場合にオーバーフローさせるオーバーフロー穴１０が設けられている。この貯水トレイ８の材質にあっては特に限定されるものではない。
【００１８】
また、前記多孔質保水材４と貯水トレイ８の間には、貯水トレイ８内の水を吸い上げて多孔質保水材４に供給する吸水部材１１が備えられている。この吸水部材１１としては、本例では紐状の不織布が使用されている。
【００１９】
更に、建物の壁体１２には、前記貯水トレイ８のオーバーフロー穴１０から前記防水層５上に流出した雨水等を建物の外部に排出するドレイン１３が設けられており、このドレイン１３には排水パイプ１４が接続されている。
【００２０】
このような屋上スラブ１上に設けられた冷却構造２では、多孔質保水材４上に降水或いは散水があると、水は多孔質保水材４に保水され、そして、多孔質保水材４を通して多孔質保水材４の下方に配置されている貯水トレイ８に貯留される。そして、多孔質保水材４が日射を受けると、多孔質保水材４に保水されている水が蒸発し、更に、吸水部材１１で貯水トレイ８に貯留されている水が吸い上げられ多孔質保水材４に供給されて蒸発する。この蒸発したときの気化熱により多孔質保水材４が冷却されることになり、この多孔質保水材４からの熱伝導により建物全体が冷却される。
【００２１】
そして、降水或いは散水による水量が前記貯水トレイ８の貯水容量を超えた場合、この水が貯水トレイ８のオーバーフロー穴１０から前記屋上スラブ１に設けた防水層５上に流出し、この防水層５上に流出した水がドレイン１３から建物の外部に排出される。
【００２２】
このように構成される冷却構造２は、その構成が簡単なので、実施が容易であり、また、既に建っている建物の屋上スラブへも容易に実施することができる。
【００２３】
図３は本発明に係る建物の冷却構造を実施した第２例を示したもので、図３は冷却構造の縦断面図である。
【００２４】
本例は、本発明に係る建物の冷却構造を建物のバルコニーに実施した例であり、建物のバルコニースラブ１５上に冷却構造２が設けられている。この冷却構造２について、前記第１例の屋上スラブ１上に設けられた冷却構造２と同一の部分には同一の符号を付し、その説明は第１例の説明を援用することにより省略する。
【００２５】
本例の冷却構造２は、バルコニースラブ１５上に、第１例と同様に支柱３を介して多孔質保水材４が布設されている。本例も、前記バルコニースラブ１５上に防水層５が設けられており、前記支柱３は防水層５の上に立設されている。この支柱３に第１例と同様にして、多孔質保水材４が支持され、そして、バルコニースラブ１５と支柱３に支持されている多孔質保水材４との間にオーバーフロー穴１０が設けられている貯水トレイ８が配置されている。また、前記多孔質保水材４と貯水トレイ８の間には、貯水トレイ８内の水を吸い上げて多孔質保水材４に供給する吸水部材１１が備えられている。
【００２６】
更に、バルコニースラブ１５には、前記貯水トレイ８のオーバーフロー穴１０から前記防水層５上に流出した雨水等を下側へ排出するドレイン１３が設けられており、このドレイン１３には排水パイプ１４が接続され、階上のバルコニースラブ１５上に設けられた冷却構造２でオーバーフローした水が排水パイプ１４を通って階下のバルコニースラブ１５上に設けられた冷却構造２の多孔質保水材４上に流出するようになっている。
【００２７】
このようなバルコニースラブ１５上に設けられた冷却構造２では、第１例と同様に、多孔質保水材４上に降水或いは散水があると、水は多孔質保水材４に保水され、そして、多孔質保水材４を通して多孔質保水材４の下方に配置されている貯水トレイ８に貯留される。そして、多孔質保水材４が日射を受けると、多孔質保水材４に保水されている水が蒸発し、更に、吸水部材１１で貯水トレイ８に貯留されている水が吸い上げられ多孔質保水材４に供給されて蒸発する。この蒸発したときの気化熱により多孔質保水材４が冷却されることになり、この多孔質保水材４からの熱伝導により建物全体が冷却される。
【００２８】
そして、降水或いは散水による水量が前記貯水トレイ８の貯水容量を超えた場合、この水が貯水トレイ８のオーバーフロー穴１０から前記バルコニースラブ１５に設けた防水層５上に流出し、この防水層５上に流出した水がドレイン１３に接続された排水パイプ１４を通って階下のバルコニースラブ１５に設けた冷却構造２の多孔質保水材４上に流出するようになっているので、階下のバルコニースラブ１５に設けた冷却構造２の貯水トレイ８に、効率よく且つ満遍なく貯水することができる。
【００２９】
図４は本発明に係る建物の冷却構造を実施した第３例を示したもので、図３は冷却構造を実施した建物の斜視図である。
【００３０】
本例は、本発明に係る建物の冷却構造を建物の屋上とバルコニーに実施した例、即ち、前記第１例と第２例を組み合わせた例である。本例では、建物の屋上スラブ１上に設けた冷却構造２でオーバーフローした水を排水するために、壁体１２に設けたドレイン１３に接続した排水パイプ１４が、最上階のバルコニースラブ１５上に設けた冷却構造２に接続され、そして、最上階のバルコニースラブ１５上に設けた冷却構造２でオーバーフローした水を排水するために、バルコニースラブ１５に設けたドレイン１３に接続した排水パイプ１４が、順次階下のバルコニースラブ１５上に設けた冷却構造２に接続され、屋上スラブ１上に設けた冷却構造２でオーバーフローした水が排水パイプ１４を通って最上階のバルコニースラブ１５上に設けられた冷却構造２の多孔質保水材４上に流出し、最上階のバルコニースラブ１５上に設けられた冷却構造２でオーバーフローした水が排水パイプ１４を通って順次階下のバルコニースラブ１５上に設けられた冷却構造２の多孔質保水材４上に流出するようになっている。
【００３１】
このような屋上とバルコニーに設けられた冷却構造２では、屋上とバルコニーで冷却される多孔質保水材４からの熱伝導により建物が冷却されるので、建物の冷却効果が一層優れたものとなる。また、屋上スラブ１上に設けた冷却構造２でオーバーフローした水を階下のバルコニースラブ１５に設けた冷却構造２の多孔質保水材４上に流出するようになっているので、階下のバルコニースラブ１５に設けた冷却構造２の貯水トレイ８に、効率よく且つ満遍なく貯水することができる。
【図面の簡単な説明】
【００３２】
【図１】本発明に係る建物の冷却構造を実施した第１例を示す縦断面図である。
【図２】図１の一部拡大縦断面図である。
【図３】本発明に係る建物の冷却構造を実施した第２例を示す縦断面図である。
【図４】本発明に係る建物の冷却構造を実施した第３例を示す建物の斜視図である。
【符号の説明】
【００３３】
１  屋上スラブ
２  冷却構造
３  支柱
４  多孔質保水材
５  防水層
６  支持面
７  位置決め突起
８  貯水トレイ
９  鍔部
１０  オーバーフロー穴
１１  吸水部材
１２  壁体
１３  ドレイン
１４  排水パイプ
１５  バルコニースラブ
【図１】
2006161410.tif 000003
【図２】
2006161410.tif 000004
【図３】
2006161410.tif 000005
【図４】
2006161410.tif 000006